Podtech/llm-jp-corpus-v4-ja_patent huggingface dataset:
(57)【要約】【課題】  シャワーを浴びながら、より快適な時間を過ごすことのできるシャワー装置を提供する。【解決手段】  上下方向に回動可能な左右のアーム５，６を備えたシャワー装置１において、左右のアーム５，６には、回動により人体の耳に近づく位置に、スピーカー９，９が設けられ、このスピーカー９，９から好きな音楽やラジオを聞くことができるように構成されている。【選択図】  図２
2005052444.tif 000002
【特許請求の範囲】
【請求項１】
上下方向に回動可能な左右のアームを備えたシャワー装置において、前記左右のアームには、回動により人体の耳に近づく位置にスピーカーが設けられていることを特徴とするシャワー装置。
【請求項２】
前記スピーカーから流れる音楽に合わせて、前記左右のアームに設けられたノズルからの噴水量が変化するように構成したことを特徴とする請求項１に記載のシャワー装置。
【請求項３】
テレビを備えたことを特徴とする請求項１または請求項２に記載のシャワー装置。
【請求項４】
前記テレビの画面を親水性にしたことを特徴とする請求項３に記載のシャワー装置。
【発明の詳細な説明】
【技術分野】
【０００１】
本発明は、浴室内に設置されるシャワー装置に関するものである。
【背景技術】
【０００２】
従来、人体を挟むようにアームを保持させ、アームから全身に霧状の湯を噴霧させることにより、暖まり感が得られるシャワー装置がある。
【特許文献１】特開平３−８４３３１号公報
【発明の開示】
【発明が解決しようとする課題】
【０００３】
従来のアームを備えたシャワー装置を利用して、全身にシャワーを浴びる時に、受動的にシャワーを浴びているだけであるので、シャワーを浴びている時間がつまらないという問題点があった。
【課題を解決するための手段】
【０００４】
本発明は上記従来の問題点に鑑み案出したものであって、快適な時間を過ごすことができ、効果的なリラックス感が味わえるシャワー装置を提供せんとするものであり、請求項１は、上下方向に回動可能な左右のアームを備えたシャワー装置において、前記左右のアームには、回動により人体の耳に近づく位置にスピーカーが設けられていることである。
また、請求項２は、前記スピーカーから流れる音楽に合わせて、前記左右のアームに設けられたノズルからの噴水量が変化するように構成したことである。
また、請求項３は、テレビを備えたことである。
また、請求項４は、テレビの画面を親水性にしたことである。
【発明の効果】
【０００５】
シャワー装置の左右のアームには、回動により人体の耳に近づく位置にスピーカーが設けられていることにより、シャワーを浴びている時に、好きな音楽やラジオ等を聞くことができ、より快適な時間を過ごすことができるものとなる。
また、癒し効果のある音楽をかけることで、温浴感とともに、より効果的なリラックス感が味わえるものとなる。
【０００６】
また、スピーカーから流れる音楽に合わせて、噴水量が変化するように構成したことにより、自然なマッサージ効果が得られ、より良好にリラックス感が味わえるものとなる。
【０００７】
また、テレビを備えたことにより、シャワー中においてテレビを楽しむことができ、テレビの音がスピーカーから聞こえてくるため、シャワーの音でテレビの音が聞こえなくなることもなく、快適なシャワー時間が得られるものとなる。
また、テレビの画面を親水性にしたことにより、シャワー装置は水滴が通常のシャワーより小さく、浴室内の温度，湿度を急速に上昇させ、テレビ画面が結露してしまうが、親水性にしたことにより、結露のないクリアな画面を見ることができる。
【実施例】
【０００８】
以下、本発明の実施例を図面に基づいて説明する。
図１は、浴室の洗い場側の壁面等に設置されるシャワー装置の斜視構成図である。
シャワー装置１は、前面に複数のハンドル２ａを備えた本体機能部２の下部には、左右に固定アーム３，４が固定状に立設されており、左右の固定アーム３，４間には、洗面器を置くことのできる洗面器台５が設けられている。
また、本体機能部２から上方に、回動可能に左右のアーム５，６が立設されており、左右の回動可能なアーム５，６間には、鏡７が設置されている。
この回動可能な左右のアーム５，６および固定アーム３，４には、それぞれ複数のノズル８，８，８が設けられており、各ノズル８，８，８からシャワー水を噴出させることができるように構成されている。
【０００９】
このシャワー装置１は、立った状態でも、また座った状態でも、全身にシャワーを浴びることができるものであり、例えば図２に示すように、洗い場で座った状態で、左右のアーム５，６を前方側へ傾けて使用することができるものである。
本例の左右の回動可能なアーム５，６には、回動させて使用する際に、人体の耳に近づく位置に、それぞれスピーカー９，９が設けられており、このスピーカー９，９から好きな音楽やラジオを聞くことができるように構成されている。
なお、好きな音楽をスピーカー９から流すことで、効果的なリラックス感を味わえることとなり、癒し効果のある音楽をスピーカー９から流すことで、よりリラックス感が得られるものとなる。
【００１０】
また、鏡７の下部部位にテレビ１０を備えて構成することもでき、シャワーを浴びながらテレビ１０を見ることができ、テレビ１０の音をスピーカー９から良好に聞くことができて、シャワーの音によりテレビの音が聞こえなくなることもなく、スピーカー９からの音でテレビ１０を楽しむことができるものとなる。
また、テレビの画面を親水性にしておけば、シャワーの水滴で浴室内の温度，湿度が急速に上昇しても、テレビ画面が結露してしまうことがなく、結露のないクリアな画面を見ることができるものとなる。
【００１１】
また、各ノズル８，８，８から噴出される噴水量が、スピーカー９から流れる音楽に合わせて変化するように構成することもできる。
例えば、スピーカー９から流れる音楽の音量に合わせて、湯を各ノズル８に送り出すポンプの回転を制御する等して構成することができ、このように、スピーカーから流れる音楽に合わせてノズル８からの噴水量が変化するように構成しておけば、自然なマッサージ効果が得られることとなり、より効果的にリラックス感を味わえることとなる。
【図面の簡単な説明】
【００１２】
【図１】シャワー装置の斜視構成図である。
【図２】シャワー装置の使用状態の斜視構成図である。
【符号の説明】
【００１３】
１  シャワー装置
２  本体機能部
３，４  固定アーム
５，６  回動アーム
７  鏡
８  ノズル
９  スピーカー
１０  テレビ
【図１】
2005052444.tif 000003
【図２】
2005052444.tif 000004
(57)【要約】【課題】  剃刀等の子供に触れてほしくないものを収納することができ、しかも、取り出し易い場所に収納できる浴室の収納構造を提供する。【解決手段】  浴室１内に設けられたカウンター４や洗面器台には、ロック機構７を付設した収納部６が設けられている。【選択図】  図１
2005052443.tif 000002
【特許請求の範囲】
【請求項１】
浴室に設けられる収納部にロック機構を付設したことを特徴とする浴室の収納構造。
【請求項２】
前記収納部は、浴室内のカウンターや洗面器台に設けられていることを特徴とする請求項１に記載の浴室の収納構造。
【請求項３】
前記ロック機構は、番号合わせ式のものであることを特徴とする請求項１または請求項２に記載の浴室の収納構造。
【発明の詳細な説明】
【技術分野】
【０００１】
本発明は、浴室内の収納構造に関するものである。
【背景技術】
【０００２】
従来、特許文献１に開示されているように、共同浴場等で衣服や貴重品を保管するロッカーや、ロッカーの鍵のみを保管する保管庫に、鍵を設けた構成が存在する。
【特許文献１】特開２００１−２７５７６２号公報
【発明の開示】
【発明が解決しようとする課題】
【０００３】
しかし、従来では、浴室内に設置されている収納ボックスで施錠できるものはなく、そのため、浴室内に、剃刀等の子供が触れてほしくないものを収納するには、子供の手の届かない高さに収納するしか方法がなかった。
しかし、剃刀等の使用頻度の高いものを取り難い場所に収納すると、使い勝手が悪くなるという問題点があった。
【課題を解決するための手段】
【０００４】
本発明は上記従来の問題点に鑑み案出したものであって、剃刀等を取り出し易い位置に、しかも子供等が触れないように、良好に保管できる浴室の収納構造を提供するものであり、請求項１は、浴室に設けられる収納部にロック機構を付設したことである。
また、請求項２は、前記収納部は、浴室内のカウンターや洗面器台に設けられていることである。
また、請求項３は、前記ロック機構は、番号合わせ式のもので構成されていることである。
【発明の効果】
【０００５】
浴室に設けられる収納部にロック機構を付設したことにより、収納部内に、浴室で使用する剃刀等を良好に収納させておくことができ、子供の手の届く高さに収納部を設置しても、子供は内部の剃刀等に触れることができないために、怪我をさせる心配もなくなる。
【０００６】
また、収納部は、浴室内のカウンターや洗面器台に設けられていることにより、剃刀等を取り出し易く、使い勝手の良い位置にあるカウンターや洗面器台を利用することができ、ロック機構が付設されているため、内部に剃刀等を収納させておいても、子供は開けることができないために、怪我をさせる心配もない。
【０００７】
また、ロック機構は、番号合わせ式のものであることにより、鍵を必要とせず、浴室内で番号を合わせて良好に開け、内部の剃刀等を取り出して使用できるものとなる。
【実施例】
【０００８】
以下、本発明の実施例を図面に基づいて説明する。
図１は、浴室内の斜視構成図であり、浴室１の浴槽２の側方の洗い場３側の壁面には、カウンター４が設けられており、カウンター４の下方の水栓５の側方に、収納部６が設けられている。
【０００９】
この収納部６は図２の拡大図で示すように、引き出し式のものであり、引き出し６ａの前板６ｂには、番号合わせ式のロック７が設けられており、ロック７をロックした状態では、引き出し６ａを引き出せないように構成されている。
この引き出し６ａ内には、通常浴室内でよく使用するものであり、しかも子供に触れてほしくない剃刀等を収納させておくことができ、使用後にはロックして良好に収納させておけば、子供は開けることができないために、子供が怪我をすることもなくなる。しかも、ロックを外して引き出し６ａを開けて、内部から剃刀等を容易に取り出すことができ、取り出し易い位置にあるため、使用勝手が良好なものとなる。
【００１０】
また、図３は別例を示すものであり、図３では、洗い場３側の壁面に設けたカウンター４の水栓５の下部に、洗面器を置くことのできる洗面器台８を設置し、その洗面器台８の上面に、開閉可能に開閉蓋８ａを設けて、洗面器台８の内部を収納部としたものである。開閉蓋８ａには、番号合わせ式のロック７が付設されている。
【００１１】
また、カウンター４の上方のコーナー部に設置された壁付収納ボックス９には、開閉可能に扉９ａが設けられており、この扉９ａにも番号合わせ式のロック７が付設されている。
この壁付収納ボックス９および洗面器台８は、洗い場３で、立った状態、または座った状態で、容易に手が届く場所にあり、内部に剃刀等の子供に触れてほしくないものを良好に収納させておくことができ、使用したい時には、剃刀等を容易に取り出して使用でき、使用勝手が良好なものとなる。
【図面の簡単な説明】
【００１２】
【図１】浴室の内部の斜視構成図である。
【図２】カウンターの下部に引き出し式の収納部を設けた拡大斜視構成図である。
【図３】洗面器台および壁付収納ボックスにロックを付設して、子供等が開けることができないように構成した斜視構成図である。
【符号の説明】
【００１３】
１  浴室
２  浴槽
３  洗い場
４  カウンター
５  水栓
６  収納部
６ａ  引き出し
６ｂ  前板
７  ロック
８  洗面器台
８ａ  開閉蓋
９  壁付収納ボックス
９ａ  扉
【図１】
2005052443.tif 000003
【図２】
2005052443.tif 000004
【図３】
2005052443.tif 000005
(57)【要約】【課題】芯出し寸法を無段階に微調整可能な生爪芯出し成形用冶具を提供する。【解決手段】生爪芯出し成形用冶具本体ブロック４の二面、及び他の一面のネジ孔に取付けられた寸法調整ボルト５の頭部をストッパーとしての当たり面とし、寸法調整ボルト５を回転調整することにより、芯出し寸法を無段階に微調整する。【選択図】    図４
2005052900.tif 000002
【特許請求の範囲】
【請求項１】
工作機械用生爪チャックにおける、生爪芯出し成形用冶具において、冶具本体ブロックと冶具本体ブロックに取付けられた寸法調整ボルトにより構成し、寸法調整ボルトの調整により冶具寸法を無段階に調整出来る構造を特徴とする生爪芯出し成形用冶具。
【請求項２】
前記冶具本体ブロックは、生爪芯出し成形のためのチャック時にストッパーとしての当たり面となる二面を有し、他の一面には前記寸法調整ボルト取付け用のネジ孔が形成してある請求項１に記載の生爪芯出し成形用冶具。
【請求項３】
前記寸法調整ボルトは、生爪芯出し成形のためのチャック時にストッパーとしての当たり面となる頭部を有し、前記冶具本体ブロックの一面に形成してあるネジ孔に取付けられている請求項１に記載の生爪芯出し成形用冶具。
【発明の詳細な説明】
【０００１】
【発明の属する技術分野】
本発明は、旋盤等の工作機械で加工物を把持するチャック用交換式生爪の芯出し成形用冶具装置に関する。
【０００２】
【従来の技術】
従来、旋盤等の工作機械で加工物を把持するチャック用交換式生爪は加工物表面を傷つけることなく、かつ回転中心を合致させるために、予め工作機械で生爪を所望の形状に加工している。
【０００３】
そして、この生爪の芯出し成形において、生爪を有効に使うには加工物の半径から削り代を引いた半径の円盤冶具が必要であるため、多数の径の円盤冶具を所持しこれを取替え利用している。
【０００４】
【発明が解決しようとする課題】
ところで、上述した従来の円盤冶具を用いる方法では多数の径の円盤冶具が必要であり、また、多様な芯出し寸法に対応出来ない。すなわち径が１ｍｍとびの円盤冶具では１ｍｍとびの寸法にしか対応出来ない。
【０００５】
本発明は従来の問題点を解決するために、多様な芯出し寸法に対し、無段階に微調整出来る生爪芯出し成形用冶具装置を提供することを目的とする。
【０００６】
【課題を解決するための手段】
本発明は前記課題を解決するために、請求項１の技術的手段を採用する。請求項１に記載の発明によれば、冶具本体ブロックと冶具本体ブロックに取付けられた寸法調整ボルトの調整により、無段階に生爪芯出し成形用冶具の寸法を設定出来る。
【０００７】
また、請求項２及び請求項３の発明により、生爪芯出し成形のためのチャック時に冶具本体ブロックの二面及び寸法調整ボルトの頭部がストッパーとしての当たり面となり、生爪芯出し成形用冶具のチャック状態が安定している。
【０００８】
【発明の実施形態】
以下、本発明の実施例を図面に基づいて説明する。図１は、本発明を旋盤の連動チャックに取付けた略示的説明図で、１は旋盤本体、２は連動チャック、３は生爪本体、４は生爪芯出し成形用冶具本体ブロック、５は寸法調整ボルトを示す。図２は生爪芯出し成形用冶具の斜視図で、図３は分解斜視図である。生爪芯出し成形用冶具本体ブロック４の１面４Ｂに加工されたネジ孔４Ａに寸法調整ボルト５は取付けられいて、寸法調整ボルト５を回転することにより面５Ａが前後に移動する。
【０００９】
図４は図２に示す生爪芯出し成形用冶具の平面図で、ストッパーとしての当たり面は４Ｃ、４Ｅ、５Ａである。
【００１０】
図５及び図６は、生爪芯出し成形用冶具を連動チャック２に取付けた状態を示し、寸法調整ボルト５の回転により、生爪芯出し成形用冶具は寸法調整され、その寸法調整された生爪芯出し成形用冶具の使用により、生爪のチャック寸法が変わることを示す。
【００１１】
また、寸法調整ボルト５の回転は無段階に調整出来るので、生爪のチャック位置も無段階に変えることが出来る。
【発明の効果】
以上のように本発明によれば、生爪芯出し成形において多数の円盤冶具が不要になり、しかも多様な芯出し寸法に対し、無段階に微調整出来るようになる。
【図面の簡単な説明】
【図１】本発明の生爪芯出し成形用冶具が適用された旋盤を示す全体図である。
【図２】図１中の生爪芯出し成形用冶具の斜視図である。
【図３】生爪芯出し成形用冶具の分解斜視図である。
【図４】生爪芯出し成形用冶具の平面図である。
【図５】生爪芯出し成形用冶具を連動チャックに取付けた状態図で小さい芯出し寸法の時の図である。
【図６】生爪芯出し成形用冶具を連動チャックに取付けた状態図で大きい芯出し寸法の時の図である。
【図７】生爪芯出し成形用冶具本体の平面図である。
【図８】寸法調整ボルトの正面図である。
【符号の説明】
１  旋盤本体
２  連動チャック
３  生爪本体
４  生爪芯出し成形用冶具本体ブロック
４Ａ  ネジ孔
４Ｂ  ネジ孔加工面
４Ｃ，４Ｅ  ストッパーとしての当たり面
５  寸法調整ボルト
５Ａ  ストッパーとしての当たり面
【図１】
2005052900.tif 000003
【図２】
2005052900.tif 000004
【図３】
2005052900.tif 000005
【図４】
2005052900.tif 000006
【図５】
2005052900.tif 000007
【図６】
2005052900.tif 000008
【図７】
2005052900.tif 000009
【図８】
2005052900.tif 000010
(57)【要約】【目的】  ベネチアンブラインドの小板に付着したほこりや汚れ等を効率良く除去するための超音波洗浄装置を備えたベネチアンブラインドに関するものである。【構成】  ベネチアンブラインド１に超音波洗浄装置２を備えたものである。超音波洗浄装置２は、超音波発生器３、超音波振動子４及びベネチアンブラインドの小板５を格納出来て且つ液体を入れるための容器６とで構成されている。ベネチアンブラインド１の洗浄方法は、例えば水の様な液体で適度に満たされた超音波洗浄装置２の容器６内にベネチアンブラインドの小板５を格納した後、液体中に超音波を伝えることで小板５に付着したほこりや汚れ等の除去を行うことができる。【選択図】  図１
2005052809.tif 000002
【特許請求の範囲】
【請求項１】
小板を格納出来て且つ液体を入れるための容器と超音波発生器及び１個以上の超音波振動子とを配設した超音波洗浄装置を備えたベネチアンブラインド。
【請求項２】
小板を格納出来て且つ液体を入れるための前記容器を超音波振動子として利用したことを特徴とする請求項１に記載した超音波洗浄装置を備えたベネチアンブラインド。
【請求項３】
液体の量を確認するための機能を備えたことを特徴とする請求項１又は請求項２に記載した超音波洗浄装置を備えたベネチアンブラインド。
【請求項４】
液体で適度に満たされた超音波洗浄装置内にベネチアンブラインドの小板を格納した後、液体中に超音波を伝えることでベネチアンブラインドの小板を洗浄する洗浄方法。
【発明の詳細な説明】
【発明の詳細な説明】
【技術分野】
【０００１】  本発明ベネチアンブラインドの小板に付着したほこりや汚れ等を除去する装置に関し、詳しくは、超音波洗浄装置を備えたベネチアンブラインドとその洗浄方法に関するものである。
【背景技術】
【０００２】  従来のベネチアンブラインドは、小板に付着したほこりや汚れ等を除去する機能がついていない。このため小板についたほこりや汚れを除去するためには、はたきで叩いたり、ぞうきん等で拭いたりしなければならなかった。これは大変手間の掛かる作業であった。
【発明が解決しようとする課題】
【０００３】  しかしながら、機械的に自動的に小板に付着したほこりや汚れ等を除去する機能がついたベネチアンブラインドは開発されなかった。本発明は、こうした使用者の強い要望に応えるために発明されたのである。
【発明を解決するための手段】
【０００４】  本発明の構成はベネチアンブラインド１に超音波洗浄装置２を備えたものである。超音波洗浄装置２は、超音波発生器３、超音波振動子４及びベネチアンブラインドの小板５を格納出来て且つ液体を入れるための容器６とで構成されている。ここで該容器６は超音波振動子を兼ねる構成をとる場合も考えられる。
【０００５】  一方、本発明に係わるベネチアンブラインド１の洗浄方法は、例えば水の様な液体で適度に満たされた超音波洗浄装置２の容器６内にベネチアンブラインドの小板５を格納した後、液体中に超音波を伝えることで該小板５に付着したほこりや汚れ等の除去を行うことができる。ここで、超音波洗浄装置２の該容器６内に液体を満たす作業は小板５を超音波洗浄装置２の容器６内に格納する前後どちらでもかまわない。
【発明を実施するための最良の形態】
【０００６】  図１に本発明の第１の実施形態を示す。ベネチアンブラインド１と超音波洗浄装置２とで構成されている。超音波洗浄装置２は、超音波発生器３、超音波振動子４及びベネチアンブラインドの小板５を格納出来て且つ液体を入れるための容器６とで構成されている。該容器６には液体の注入口７及び放出口８が設けられている。  本発明の第１の実施形態において、小板５を該容器６内に格納した状態を図２に示す。図２のＡ−Ａ′断面を図３に示す様に、ヘッドボックス９と超音波洗浄装置２が接した時、液体が外部に零れない構造になっている。この第１の実施形態では、ヘッドボックス９と超音波洗浄装置２に各々設けられたゴムの様なパッキン１０によってヘッドボックス９と超音波洗浄装置２が組み合う構造をしている。【０００７】  また、該容器６に注入された液体の量を確認するための機能を付加すると便利である。例えば図４に示す液体の量を確認するための機能は、該容器６に注入する液体よりも比重の小さい物体１１が入った容器１２を該容器６の底付近にチューブ状の管１３で接続した構造をしている。該容器６に注入された液体の上面と同じ高さに該物体１１が浮き上がることで、該容器６に注入された液体の量を確認することができる。  なお該容器６に注入された液体の量を確認する方法は、該容器６を透明の材料にして外部から該容器６に注入された液体を直接見れるようにしても良い。或いは計測器によって確認する等でも良い。【０００８】  本発明に係わるベネチアンブラインド１の洗浄方法は、図２の様に超音波洗浄装置２の容器６内にベネチアンブラインドの小板５を格納した後、例えば水の様な液体を該容器６内に注入して適度に該容器６内を満たした後、液体中に超音波を伝えることで小板５に付着したほこりや汚れ等の除去を行うことができる。ここで、超音波洗浄装置２の容器６内に液体を注入する作業は小板５を超音波洗浄装置２の容器６内に格納する前後どちらでもかまわない。【０００９】  また、上述した実施形態は一実施形態であり、本発明の要旨を損なわない範囲での種々の変更は可能であり、本発明は上述した実施形態に限定されるものではない。
【発明の効果】
【００１０】  上述の様に、ベネチアンブラインドを超音波洗浄することで、ベネチアンブラインドを短時間で効率良く洗浄することが可能となる。
【図面の簡単な説明】
【図１】本発明の第１実施形態を示す図。
【図２】本発明の第１実施形態による小板格納状態を示す図。
【図３】図２に示すＡ−Ａ′断面図。
【図４】本発明の第２実施形態を示す図。
【符号の説明】
１．．．ベネチアンブラインド  ２．．．超音波洗浄装置  ３．．．超音波発生器  ４．．．超音波振動子  ５．．．小板  ６．．．容器  ７．．．液体の注入口  ８．．．液体の放出口  ９．．．ヘッドボックス１０．．．パッキン１１．．．液体よりも比重が小さい物体１２．．．液体の量を確認するための容器１３．．．チューブ状の管
【図１】
2005052809.tif 000003
【図２】
2005052809.tif 000004
【図３】
2005052809.tif 000005
【図４】
2005052809.tif 000006
(57)【要約】【課題】  浄水機能を持ち、なおかつ着脱可能で簡単に取り付けられ、さらに安価で使い捨て可能な浄水器を提供する。【解決手段】  本体浄水器にシャワーヘッドとの連結部を持ち、ホースとの連結部を配置した構成で、シャワーヘッド、前記浄水器、ホースを連結させることにより構成上安価で使い捨て可能な浄水器を提供できる。【選択図】  図３
2005052818.tif 000002
【特許請求の範囲】
【請求項１】
内部にフィルターを収納した本体部を持ち、本体部の一端にはシャワー用ホースとの連結部を構成し、またその一端にはシャワーヘッドとの連結部を構成した、シャワー用浄水器。
【請求項２】
前記浄水器内部に、塩素除去を目的とする活性炭を配置し、同じく塩素除去を目的とするゼオライト、また天然石を混合させ配置し、水および温水が本浄水器内部を通過する際に、浄水を行うことを特徴とする請求項１に記載のシャワー用浄水器。
【請求項３】
フィルターを上記浄水器内部に配置し、鉄サビ、ごみ等を除去することを特徴とする請求項１に記載のシャワー用浄水器。
【発明の詳細な説明】
【技術分野】
【０００１】  本発明はシャワーヘッド下部の着脱可能に装着して用いる安価な使い捨てのシャワー用浄水器に関わる。
【背景技術】
【０００２】  従来、シャワーに用いられる浄水器としては、水および温水供給水栓部に取り付ける機械や、シャワーヘッド内部に浄水機能を配置したものがある。
【発明が解決しようとする課題】
【０００３】  上述の供給水栓部に取り付ける機械は、機械を設置する場所を確保しなければならない不便さがあり、さらに取り付けるのに特殊な技術を必要とするものがある。そしてその多くが高価である。また、シャワーヘッド内部に浄水機能を配置したものは、設置場所などの不便さは解消されているが、シャワーヘッド自体を交換するため高価になってしまう。
【０００４】  この発明の目的は、本来の浄水効果を有しなおかつ場所をとらずに、そして安価で使い捨て可能なシャワー用浄水器を提供せんとするにある。
【課題を解決するための手段】
【０００５】  この発明はまた、本体浄水器上部及び下部に連結部を構成し、着脱可能にシャワーヘッドおよびホースに装着することで容易に着脱が出来る。
【発明の効果】
【０００６】  この発明は以上のように構成したので、次のような効果を奏し得る。
【０００７】  請求項１のように構成すると、本発明をシャワーヘッドとホースの間に装着するだけで、浄水効果を発揮できる。構成が簡単なので安価であることから、容易に使い捨てができる浄水器を提供できるものである。
【発明を実施するための最良の形態】
【０００８】  図面はこの発明の一実施の形態を示し、図１において上方筒体１は１ａの連結ネジからなる。この部位は市販のシャワーヘッドと上方筒体１とを連結させるために構成されている。なお上方連結部１は実施の形態に限定されず、角状であっても良い。また、シャワーヘッドの連結部が上方筒体１と形状が違う場合には、軟質樹脂などのアタッチメントを間に配置させ連結させても良い。要するにこの上方筒体１は市販のシャワーヘッドに連結できれば足りる。そしてこの上方筒体１と本体部６を、超音波溶着することによって連結する。そして本体６には連結部２の６ａが構成され、この連結部２とホース部とを連結する。その際、ゴムパッキン１１を連結部２の６ａの外部最深部に構成させ、水の漏れを防ぐ。これも、上記上方連結部と同様に形状及び寸法が異なる場合は、軟質樹脂などのアタッチメントをホース部と連結部６ａの間に配置し、連結させても良い。【０００９】  図１で示している中栓２を上方筒体１の下部の配置し、これは軟質な樹脂が用いられる。２ａがシャワーヘッド連結部にあたることによりパッキンをして効果を発揮する。【００１０】  図１で示している下蓋３を中栓２の下部へ配置する。これは中栓２を安定させ中栓２のパッキン効果を高めるために用いられるとともに、フィルター部４や網部５を水および温水供給部からの水圧により外れてしまうのを防ぐために用いられる。【００１１】  図１で示しているフィルター部４及びフィルター部９を本体６の内部の上下に配置する。これらで水および温水が水流１より水流２へと流れる際に、鉄さびやゴミ等を除去し、シャワーヘッドへきれいな水及び温水を供給する。これらは、ＰＶＣなどの不織布を用いるのが好ましい。また、フィルター部４及びフィルター部９を水圧から保護するために、網部５及び網部１０を用いる。これらは耐熱性がある樹脂が好ましい。網部５及び網部１０は円状の穴が、無数にあいているが、これは格子状のものでも良い。【００１２】  図１で示している本体部６の内部にヤシガラ活性炭７及びゼオライト８を混合させ配置する。これらは水および温水が水圧により水流１から水流２へと流れる際に、水および温水に直接接触して塩素を除去する。なお本体内部に内蔵されるものとしては、浄水効果のある活性炭であれば他のものを使用しても良い。なお、本体内部には天然石などの消毒作用があるものを配置させても良い。
【図面の簡単な説明】
【００１３】
【図１】本発明の浄水器単体の断面図
【図２】本発明の単体外観図
【図３】本発明の実施形態を示す浄水器の設置時の外観図
【符号の説明】
【００１４】１  上方筒体
２  中栓
３  下蓋部
４  フィルター部
５  網部
６  本体部
７  ヤシガラ活性炭
８  ゼオライト
９  フィルター部
１０  網部
１１  ゴムパッキン
１ａ  連結ネジ
６ａ  連結部２
【図１】
2005052818.tif 000003
【図２】
2005052818.tif 000004
【図３】
2005052818.tif 000005
(57)【要約】【課題】    排水管内に侵入した木の根を除去するには、従来、管内の状況をモニタで観察しながら、高圧ジェット水流を直接木の根に当てて切断除去するため、管径に応じた洗浄ノズルを使用し熟練と時間を要する。また、必要に昇圧しなければ切断不能で安全性に問題があった。本装置は刃物とローラーを装着したＬ形洗浄ノズルが高速旋回しながら自走し、効率よく確実に木の根の除去と洗浄が同時にできる、旋回根切り洗浄装置を提供する。【解決手段】    Ｌ形高圧配管（１）の長手方向Ｌ隣接部にローラー（２）を、短手方向先端に斜め後方噴射ノズルチップ（３）および刃物台（４）を取り付けた根切り洗浄ノズル器具を、高圧配管継ぎ手（５）の両端にスイベルジョイント（６）を接続した継ぎ手を内側円柱リング（７）の中心位置に、左右運動できるようピン（８ａ）で支え、内側円柱リング（７）を外側円柱リング（９）の中心位置に、上下運動できるようピン（８ｂ）で支えた、三次元作動継ぎ手台と連結した装置。【選択図】  図７
2005052817.tif 000002
【特許請求の範囲】
【請求項１】
Ｌ形高圧配管１の長手方向Ｌ隣接部にローラー２を、短手方向先端に斜め後方噴射ノズルチップ３および刃物台４を取り付けた、根切り洗浄ノズル器具。
【請求項２】
高圧配管継ぎ手５の両端にスイベルジョイント６を接続した継ぎ手を内側円柱リング７の中心位置に、左右運動できるようピン８ａで支え、その内側円柱リング７を外側円柱リング９の中心位置に、ピン８ａに対し直角の位置に、上下運動できるようピン８ｂで支えた、三次元作動継ぎ手を台車１０に固定した、三次元作動継ぎ手台。
【請求項３】
請求項１記載の根切り洗浄ノズル器具と請求項２記載の三次元作動継ぎ手台を連結した、根切り洗浄装置。
【発明の詳細な説明】
【技術分野】
【０００１】    高圧ポンプにて加圧された高圧水をノズルチップからジェット噴射し、排水管内に侵入した木の根や付着物等の除去、洗浄に関する。
【背景技術】
【０００２】    従来、排水管内に侵入した木の根を除去するには、管内の状況をテレビモニタで観察しながら高圧ジェット水流を直接木の根に当てて切断除去するため、熟練と時間を要する。【０００３】    高圧ジェット水流で木の根を切断するには、相当の高圧にしなければならず作業性、安全性に問題があった。【０００４】    排水管内に侵入した木の根の除去には管径に応じた切断ノズルを選定し、除去後、再び洗浄ノズルで洗浄する必要があった。【０００５】    ガソリンスタンドの給油ホースや高圧洗浄車のホースリール等、ホースの可動部分にはスイベルジョイントが使用される。
【非特許文献】株式会社  築地製作所  第１６号総合カタログＰ．１６
【発明の開示】
【発明が解決しようとする課題】
【０００６】    本発明は、以上に述べた問題を解決しようとするものであり、この分野における通常の知識を有する者であれば簡単に操作でき、安全に効率よく確実に木の根の除去と洗浄が可能なノズルを実現することを目的とするものである。
【課題を解決するための手段】
【０００７】    Ｌ形高圧配管１の長手方向Ｌ隣接部にローラー２を、短手方向先端に斜め後方噴射ノズルチップ３および刃物台４を取り付けた、根切り洗浄ノズル器具を、  高圧配管継ぎ手５の両端にスイベルジョイント６を接続した継ぎ手が上下左右、自由に運動できるようピン８ａ，８ｂで支えられた三次元作動継ぎ手台に連結した根切り洗浄装置を考案した。【０００８】  本装置を排水管内に挿入し、高圧水を斜め後方にジェット噴射すれば、その噴射力の反動は、Ｌ形高圧配管１をローラー２の中心に向かって押す力と、根切り洗浄装置を前進させる力と斜め後方噴射ノズルチップ３を管内面に密着させる力に分れる。また、スイベルジョイント６の回転抵抗はローラー２を管内面に密着させる力となり、これらの力学的作用により、根切り洗浄ノズル器具が三次元作動継ぎ手台を支点に管の内面に沿って旋回し始め、ひとたび旋回が始まると遠心力により管の内面に沿ってスムーズに高速旋回するノズルとなり、この旋回力を利用して木の根の切断および洗浄を同時の行うものである。
【発明の効果】
【０００９】    本発明を使用すれば、必要以上に昇圧する必要もなく、この分野における通常の知識を有する者であれば簡単に操作でき、安全に洗浄と同時に効率よく確実に木の根を除去することができる。さらに、本発明を挿入できる管径以上の排水管であれば任意に対応可能である。
【発明を実施するための最良の形態】
【００１０】    Ｌ形高圧配管１の長手方向Ｌ隣接部にローラー２を、短手方向先端に斜め後方噴射ノズルチップ３および刃物台４を取り付けた根切り洗浄ノズル器具を、高圧配管継ぎ手５の両端にスイベルジョイント６を接続した継ぎ手を内側円柱リング７の中心位置に、左右運動できるようピン８ａで支え、その内側円柱リング７を外側円柱リング９の中心位置に、ピン８ａに対し直角の位置に、上下運動できるようピン８ｂで支えた三次元作動継ぎ手台と連結する。
旋回根切り洗浄装置は以上の構成よりなる。
【実施例】
【００１１】    刃物台４にジグソーブレードを取り付け、本発明を排水管内に挿入し、管内の状況をテレビモニタで観察しながら高圧水を送水する。根切り洗浄ノズル器具の旋回速度はポンプ圧力で、前進自走力は後方噴射ノズルの角度をそれぞれ調整し、排水管内をゆっくり自走させるだけで木の根の除去と洗浄が効率よく確実に行うことができる。
【産業上の利用可能性】
【００１２】    本発明は後方噴射ノズルチップから噴射させる媒体は高圧水であるが、高圧空気でも利用可能と考えられる。内面が円形であれば、たとえば根切り洗浄ノズル器具の刃物の部分に非破壊検査の探傷センサを取付ければ、将来、管の内部から地中埋設配管などの探傷検査ができる可能性があると考えられる。
【図面の簡単な説明】
【００１３】
【図１】根切り洗浄ノズル器具側面図
【図２】根切り洗浄ノズル器具正面図
【図３】三次元作動継ぎ手台正面図
【図４】三次元作動継ぎ手台側面図
【図５】三次元作動継ぎ手台Ａ−Ａ線断面拡大図
【図６】三次元作動継ぎ手台Ｂ−Ｂ線断面拡大図
【図７】旋回根切り洗浄装置側面図
【符号の説明】
【００１４】  １  Ｌ形高圧配管
２  ローラー
３  斜め後方噴射ノズルチップ
６  スイベルジョイント
７  内側円柱リング
９  外側円柱リング
【図１】
2005052817.tif 000003
【図２】
2005052817.tif 000004
【図３】
2005052817.tif 000005
【図４】
2005052817.tif 000006
【図５】
2005052817.tif 000007
【図６】
2005052817.tif 000008
【図７】
2005052817.tif 000009
(57)【要約】      （修正有）【課題】池、湖沼等の大容量の泥水等の水質改善を低コスト化し、設備を簡素化する。【解決手段】天然多孔性の貝殻を使用し、微生物が定着する素材に微生物及び安全な高分子剤を混合し凝集、有機物の分解を実現する。【選択図】なし【特許請求の範囲】
【請求項１】
貝殻をパウダーにし、用途向けの微生物を少量よく混ぜ合わせたパウダー。
【請求項２】
貝殻のパウダーと微生物の混合物にさらに高分子剤を極微量よく混ぜ合わせたパウダー。
【発明の詳細な説明】
【発明の詳細な説明】
【技術分野】
【０００１】  本発明は、池、湖沼等の浮遊物をすばやく凝集沈殿させ、沈殿した浮遊物を微生物分解させるパウダーで、水質改善に関する。
【背景技術】
【０００２】  浮遊物を凝集沈殿させた後の沈殿物の処理が困難と思われる。
【発明が解決しようとする課題】
【０００３】  従来の凝集沈殿では沈殿物の回収が困難なうえ、また、短期間で水質の悪化が進み元の状態に戻る。本発明は貝殻のパウダーに微生物を仕込み沈殿物を分解した後も微生物が住む環境となり水質の向上に貢献できる。
【０００４】  本発明は、貝殻のパウダー、微生物、高分子剤の混合物でほとんどの汚泥、汚水に対応できる水質改善を目的としている。
【課題を解決するための手段】
【０００５】  上記目的を達成するために、天然多孔性の貝殻を使用し、微生物が定着する素材に微生物及び安全な高分子剤を混合し凝集、有機物の分解を実現した。
【発明を実施するための最良の形態】  発明の実施の形態を実施例にもとづき説明する。まず、貝殻を砂粒状まで粉砕し、微生物、高分子剤をよくミキシングする。次に、ミキシングしたものを用途により＃１５０〜＃３００のパウダーを作り約１０日間寝かしたものを完成品とする。
【発明の効果】
本発明は、以上説明したように構成されているので、以下に記載されるような効果を葵する。
【０００６】  本品を泥水等に５０００分の一〜１００００分の一の重量を添加し攪拌若しくはバブリングを行うと直ぐに凝集沈殿し透明に綺麗な水となる。
【０００７】  さらに、有機物は１５日〜２０日前後で消滅する。
【０００８】  また、システム化する場合簡単なシステムで大量の汚泥等を処理することが可能で省スペース低価格の処理機ができる。
(57)【要約】【課題】  本発明は、陳列パネル基板の複数のフランジを利用しフランジの上端、下端に掛かる掛留めプレート部の荷重、ゆれ、脱落を防止するようにした、フランジ部の掛留め構造を内蔵させる掛留め構造に関する。【解決手段】  陳列パネル基板表面の上下複数のフランジ下端に曲面開口部を設け、フランジ基点から外周に等間隔で同心円溝を設定する。曲面開口部から掛留めプレート先端部を挿入し、同心円溝内で保持するための掛留め構造で、フランジ間を極薄型形状に形成できるため、掛留め部が基板の表面に全く現れず、陳列パネル全体の装飾性を高めることができる。【選択図】  図３
2005052587.tif 000002
【特許請求の範囲】
【請求項１】
陳列パネルは表面に水平に延びる複数のフランジを備えたパネル基盤で本体を形成し、本体の複数フランジ下端部は曲面形状で開口部として形成され、フランジ中心には直角に交わる基点から同心円で等間隔に拡大する溝部に掛留め部を設けることを特徴とする陳列パネル掛留め構造。
【請求項２】
本体の複数フランジ下端曲面形状の開口部は、基点から下部６０°の角度に設けた底部と等間隔巾の溝で結ばれ、同心円溝部が形成されていることを特徴とする請求項１に記載の係脱自在な陳列パネル掛留め構造。
【発明の詳細な説明】
【発明の詳細な説明】
【技術分野】
【０００１】本発明は一般家庭、店舗の物品を陳列する棚、ハンガーパイプなど掛留めを図った陳列パネルの掛留め構造に関する。
【背景技術】
【０００２】従来の陳列パネル掛留め構造においては、パネル基盤の本体に形成される複数フランジ上端、あるいはフランジ間上端、下端を利用し掛留め用プレートを用いて固定、またはケンドン方式で固定させるため、フランジ部が破損し、掛留め部が浅いため物品がゆれ、簡単に脱落し、掛留め用プレートの露出による装飾性にも難がある等の欠点があった。
【発明が解決しょうとする課題】
【０００３】本発明は、上記に述べた従来の陳列パネル掛留め構造が持つ問題点を解決するものであり、その主たる課題は、掛留め用プレートの掛留め部先端を開口部から底部を結ぶ同心円溝に挿入し掛留めると共に、フランジ部にかかる荷重を同心円溝の接地面を利用し拡散させるようにした、陳列パネル掛留め構造を提供することにある。
【課題を解決するための手段】
【０００４】本発明は、前記課題を解決するために、請求項１の発明では、陳列パネル本体の表面に水平方向に延びる複数のフランジ中心部の基点から同心円で等間隔巾に拡大する同心円溝に掛留め用溝部を形成してなる、という技術手段を講じている。
また、請求項２の発明では、複数のフランジ下端は曲面で形成され、開口部から基点の下部６０°角度の位置を結ぶ底部に同心円溝部を形成してなる、とという技術的手段を講じている。
【発明の実態の形態】
【０００５】以下、本発明の好適実施例について図面を参照しながら説明する。
図１〜図５に示す陳列パネルは、パネル基盤１と、複数フランジ２、３が多段に一体で形成され、被取付面Ｗに取付ネジで固定化されている。
【０００６】即ち、パネル基板１の表面は、上下複数のフランジ２からなっており、各々フランジ２の下端は曲面形状３で掛け留めプレート４を挿入する開口部５と一体に形成される。
【０００７】掛留めプレート４を挿入する開口部５は、基点７から下部６０°の角度８に設定された底部９と開口部先端５と結ぶ同心円溝６を形成している。従って、掛留めプレート４は、同心円溝６の接地面１０ａ、１０ｂと底部９で保持形成している。
【０００８】掛留めプレート４の掛留めは、フランジ下端曲面３の開口部５から挿入し、約１／４円回転しながら、同心円溝６に沿って底部９で固定させるため、掛留めプレート部４に固定化されている棚１２、パイプハンガー１３などアクセサリーパーツは、同心円溝６の接地面１０ａ、１０ｂで安定することができる。
【０００９】掛留めプレート４は、同心円溝６と底部９、フランジ上端部２ａの３点で保持され、掛留めプレート４の係脱を自在にし、ゆれ、脱落、フランジ部２の傷防止用の溝として形成され、しかも、掛留めプレート部先端１１は開口部５と同心円溝９に内包され、基板表面１ａへの露出がなく装飾性を高めることができる。
【発明の効果】
【００１０】本発明は、上記構成からなるので、掛留めプレート部は耐荷重が分散され安定するため、掛留めプレート部の不安定なゆれ、プレートの脱落を解決する。
また、パネル基板の本体は複数連係しての用途が一般的であるが、単体でも被取付面に固定できる。
また、掛留めプレート部が棚などと一体に形成され、掛留め部が同心円溝部に内蔵されるため、フランジ面の傷を保護し、フランジ面の美しく表現される。
【図面の簡単な説明】
【００１１】
【図１】本発明の陳列パネル掛留め構造の実施例の側面図である。
【図２】同陳列パネルへの掛留め棚用プレート取り付けの一例を示す側面図である。
【図３】掛留め構造の同心円溝への掛留めプレートを保持する一例を示す拡大断面図である。
【図４】同掛留めプレートの掛留めプレート先端部を示す拡大断面展開図である。
【図５】同陳列パネルの基点を中心とした同心円溝を構成する基本計画の拡大参考図である。
【符号の説明】
【００１２】  １        パネル基板
１ａ      パネル基板表面
２        フランジ
３        曲面
４        掛留め用プレート
５        開口部
６        同心円溝
７        基点
８        ６０°角度
９        底部
１０ａ，ｂ  接地面
１１        掛留めプレート先端部
１２        棚部
１３        パイプハンガー
Ｗ        被取付面
Ｎ        取付ネジ
【図１】
2005052587.tif 000003
【図２】
2005052587.tif 000004
【図３】
2005052587.tif 000005
【図４】
2005052587.tif 000006
【図５】
2005052587.tif 000007
【手続補正書】
【提出日】平成15年12月4日(2003.12.4)
【手続補正１】
【補正対象書類名】図面
【補正対象項目名】全図
【補正方法】変更
【補正の内容】
【図１】
2005052587.tif 000008
【図２】
2005052587.tif 000009
【図３】
2005052587.tif 000010
【図４】
2005052587.tif 000011
【図５】
2005052587.tif 000012
(57)【要約】【課題】入浴及びシャワー時に、足裏の洗浄とツボ押しとマッサージを同時に手軽に行える方法を課題とした。【解決手段】平板状洗浄器本体１片方側にツボ押し用突起２を設け、突起を踏むことにより足裏のツボを押すと共に本体１を床面に固定しながら本体の他方側の凸凹のある洗浄ブラシ３に足裏を擦り合わせて洗浄とマッサージを行う。両足で交互に併用することにより両足裏の洗浄とツボ押しとマッサージを同時に手軽に行える。【選択図】図１
2005052589.tif 000002
【特許請求の範囲】
【請求項１】
各素材から成る平面状洗浄器本体の片方側に、ツボ押し用半円球状突起を設け、突起を踏むことにより足裏のツボを押すと共に洗浄器本体を床面に固定することを特徴とする浴室用床置き式足裏洗浄器。
【請求項２】
各素材から成る平面状洗浄器本体の片方側に、前期ツボ押し用半円球状突起を設け、突起を踏むことにより足裏のツボを押すと共に本体を床面に固定し、本体の他方側に凸凹のある洗浄用ブラシを設け、両方を併用することを特徴とする請求項１記載の浴室用床置き式足裏洗浄。
【発明の詳細な説明】
【技術分野】
【０００１】  この発明は、入浴及びシャワー時に足裏の洗浄と、ツボ押しに用いる浴室用足裏洗浄器の形状に関する。
【背景技術】
【０００２】  従来の浴室用足裏洗浄ブラシの形状は、図２に示すように、足裏の洗浄のみを目的として本体１にブラシ部分２が設けられたものであり、立ったまま使用するには不適当である。
【発明の開示】
【発明が解決しようとする課題】
【０００３】  しかしながら、以上の技術によれば、入浴及びシャワー時に足裏の洗浄とツボ押しを、立ったまま同時に手軽に行うことが出来なかった。そこでこの発明は、足裏の洗浄とツボ押しを、浴室で立ったまま手軽に快適に提供することを課題とする。
【課題を解決するための手段】
【０００４】  以上の課題を解決するために、第一発明は、各素材からなる平面状洗浄器本体の片方側にツボ押し用円球状突起を設け、突起を踏むことにより足裏のツボを押すと共に本体を床面に固定できることを特徴とする浴室用床置き式足裏洗浄器である。【０００５】  また第二発明は、各素材から成る平面状洗浄器本体の片方側に、前期ツボ押し用半円球状突起を設け、突起を踏むことにより足裏のツボを押すと共に本体を床面に固定し、本体の他方側に凸凹のある洗浄用ブラシを設け、両方を併用することを特徴とする請求項１記載の浴室用床置き式足裏洗浄器である。
【発明の効果】
【０００６】  第一発明、第二発明によれば、各素材からなる平面状洗浄器本体片方側にツボ押し用半円球状突起を設け、突起を踏むことにより足裏のツボを押すと共に本体を床面に固定できる。又、他方側の洗浄用凸凹のあるブラシに足裏を擦り合わせることにより、足裏の洗浄とマッサージができる。
【発明を実施するための最良の形態】
【０００７】  この発明の１実施形態を図１に示す。
各素材から成る平面状洗浄器本体１の片方側にツボ押し用半円球状突起２が設けられ、他方側に凸凹のある洗浄用ブラシ３が設けられている。
「実施形態の効果」【０００８】  この実施形態によれば、入浴及びシャワー時に、各素材から成る平面状洗浄器本体１の片方側にある半円球状突起２を踏むことにより足裏のツボ押しをすると共に、床面に本体１を固定することが出来る。また本体１の他方側の凸凹のあるブラシ３に足裏を擦り合わせることで洗浄とマッサージが出来る。両足を交互に併用することにより、両足裏の洗浄とツボ押しとマッサージを立ったままで手軽に行える。
「他の実施形態」【０００９】  図１の実施形態では、各素材からなる洗浄器本体１は翼型であったが、他の実施形態ではドロップ形、雲竜形、波形などバスタイムを楽しく演出する形でもよい。【００１０】  図１の実施形態では、ツボ押し用突起２は半円球状突起であったが他の実施形態では、細かい粒々・波形・渦巻き形等心地よくツボを押すことが出来る突起の形でもよい。
【図面の簡単な説明】
【００１１】
【図１】この発明の１実施形態を示す斜視図である。
【図２】従来技術を示す斜視図である。
【符号の説明】
【００１２】      １  洗浄器  本体                          ２  突起（ツボ押し）
３  ブラシ（洗浄・マッサージ）
【図１】
2005052589.tif 000003
【図２】
2005052589.tif 000004
(57)【要約】【目的】本発明はスリッパを履いて歩行中にスリッパの先端が通路の突起物又は段につまづいても、スリッパの先端に設置されたローラーが回転して、衝撃を吸収してスリッパが停止することがないので転倒しなくなる。よって、子供や老人がすり足でも通路を安心して歩けることを目的としている。【構成】本発明はスリッパ、ローラー及びローラーを回転させるシャフトから構成されている。【選択図】図１
2005052588.tif 000002
【特許請求の範囲】
【請求項１】
スリッパの先端にローラーを設置して歩行中につまづく事がなく転倒しないスリッパ。
【発明の詳細な説明】
【技術分野】
【０００１】本発明は老人や子供のように足がよく上がらずに、スリッパを履いて歩行中につまづいて、よく転倒するので、スリッパの先端にローラーを設置して、つまづいても衝撃をローラーが回転して吸収し、転倒することが無いようにした転倒防止付スリッパに関するものである。
【背景技術】
【０００２】従来のスリッパでは転倒防止装置の付いたスリッパはほとんど無く、先端つま先の底面がスキーのソリの様にそりかえってつまづかない様にしたものがある程度である。
【発明の開示】
【発明が解決しようとする課題】
【０００３】解決しようとする問題点は、従来のスリッパでは先端からかかとまで平らなものが多く、子供や老人はこれを履いて、通路を足が上がらない為にすり足で歩行するので、歩行中に通路にある突起物や段につまづいてよく転倒している。
【課題を解決するための手段】
【０００４】本発明は、上記課題に鑑み案出されたもので、スリッパを履いて通路を歩行中にスリッパの先端が通路の突起物又は段につまづいても、スリッパの先端に設置されたローラーが回転して、衝撃を吸収するのでスリッパが停止することが無く、転倒しなくなる。
【作用】
【０００５】以上のように構成された本発明は製造コストを上げることは無いので経済的な負担をかけることも無い。さらに、子供や老人が通路をすり足で歩行してもスリッパの先端に設置されているローラーの効果で転倒することが無いので安心して歩行することができる。この為に、歩行中に転倒して、これが原因で骨折したり怪我をする人が無くなる。
【実施例】
【０００６】本発明の実施例を図面に基づいて説明する。図１は本発明のスリッパ１とローラー２が一体化された構造となっている。【０００７】図２は本発明のスリッパ１とローラー２が着脱できる構造となっている。【０００８】図３は本発明のスリッパ１の先端のローラー６が分割された構造となっている。ここで、図１、図２、図３について詳細に説明する。【０００９】図１はスリッパ１とローラー２が一体化された構造を示す図でスリッパ１の先端がローラー２が設置できる様にへこましてあり、このへこました部分にローラー２の回転用の軸となるシャフト３が設置してあり、このシャフト３にローラー２を設置する構造となっている。【００１０】又、スリッパ１は布、皮、プラスチック、合成紙等で出来ている。ローラー２はプラスチック、木、合成紙等で出来ている。シャフト３は金属、プラスチック、木等で出来ている。【００１１】図２はスリッパ１とローラー２が着脱できる構造を示す図である。【００１２】スリッパ１の先端にローラー２とシャフト３が設置されたカバー４を取り付け部材５でスリッパ１に着脱できる構造となっている。【００１３】又、スリッパ１は布、皮、プラスチック、合成紙等で出来ている。ローラー２はプラスチック、木、合成紙等で出来ている。シャフト３は金属、プラスチック、木等で出来ている。カバー４は布、皮、プラスチック、合成紙等で出来ている。取り付け部材５はマジックテープ、両面接着テープ、マグネットシート等で出来ている。【００１４】図３はスリッパ１の先端のローラー６が分割されてシャフト３に設置された構造を示す図である。【００１５】この分割されたローラー５はプラスチック、木、合成紙等で出来ている。
【発明の効果】
【００１６】以上のように構成された本発明の転倒防止ローラー付きスリッパは子供や老人が通路を歩行するとき転倒して骨折やけがを心配することが無くなることはすばらしい事である。
【００１７】さらに本発明の転倒防止ローラー付きスリッパは安価なもので、簡単に購入できるものである。
【００１８】又、使用するときも簡単に誰にでも取り扱いできるようになっています。
【図面の簡単な説明】
【００１９】
【図１】本実施例のスリッパとローラーが一体化された構造を示す図である。
【図２】本実施例のスリッパとローラーが着脱できる構造を示す図である。
【図３】本実施例のスリッパのローラーが分割された構造を示す図である。
【符号の説明】
【００２０】１．スリッパ２．ローラー３．シャフト４．カバー５．取り付け部材６．分割ローラー
【図１】
2005052588.tif 000003
【図２】
2005052588.tif 000004
【図３】
2005052588.tif 000005